(57)【要約】      （修正有）【課題】側面に噛合痕を付けることがなく、角が丸くなった場合でも緩めることができる六辺形の螺合部品を回転して締結するハンドツール回転部の構造を提供する。【解決手段】本体１０の環状の套合部１１を設け、套合部の内周面に三つの第一駆動部１２と三つの第二駆動部１３、及び三つの第一収納凹部１４と三つの第二収納凹部１５を設け、各第一収納凹部の両サイドにそれぞれ第一駆動部と第二駆動部があり、それが二つの第二収納凹部と互いに接続する配置とする。螺合部品を套合部に嵌合してツールを時計回りに締結するとき、第一駆動部の第１面１２２が螺合部品の辺に面接触する力点となり、逆時計回りに緩めるとき第二駆動部の第３面１３２が面接触して力点として作用し、摩耗して角が丸くなった場合でも第一駆動部の中央に位置する鋭角状の第一作用部１２１が螺合部品の辺に噛み込むことにより回転力を負荷して緩めることができる。【選択図】図２
0003210799.tif 000002
【実用新案登録請求の範囲】
【請求項１】
ハンドツール本体に六辺形の螺合部品を嵌合する環状の套合部を設け、
該套合部の内周に交互に環状に配列する三つの第一駆動部及び三つの第二駆動部、及び交互に環状に配列する三つの第一収納凹部及び三つの第二収納凹部を設け、
各第一収納凹部の両サイドにそれぞれ第一駆動部及び第二駆動部を配置してそれぞれ二つの第二収納凹部と互いに接続してなり、
上記の各第一駆動部は、鋭角状を呈する第一作用部、第一面及び第一円弧面及び第二面から構成すると共に、該第一作用部を該第一駆動部の中央に配置して該第一面及び第一円弧面を該第一作用部の両サイドに配置して設け、
該第一面は平面状或いは凸円弧状を呈し、該第一円弧面と第一作用部との間に該第一作用部と該第一円弧面の一端の互いに接する箇所を通過する該第一円弧面に接する接線を設けて、該接線と該第一面の夾角は１００〜１２０度とし、該第一円弧面の他端は該第二面と接線関係で接続し、該第二面は平面状或いは凸円弧面状を呈し
上記の各第二駆動部は、凸円弧面状を呈する第二作用部、第三面、第二円弧面及び第四面から構成すると共に、該第二作用部は該第二駆動部の中央に位置し、該第三面及び該第二円弧面はそれぞれ該第二作用部の両サイドに設け、該第三面は平面状或いは凸円弧面状を呈し、該第二円弧面と該第二作用部の凸円弧面は接線状を呈し、該第二円弧面の他端は第四面と接続し、該第四面と該第二円弧面は接線状を呈し、該第四面は平面状或いは凸円弧面状を呈し、
上記の第一収納凹部は凹円弧面状を呈して上記第二面及び第四面の間に位置してそれぞれ該第二面及び該第四面と接線関係で接続し、
上記第二収納凹部は凹円弧面状を呈して該第一面及び該第三面の間に設け、該第二収納凹部はいずれも該第一面及び該第三面と接線関係をなすことなく接続し、
上記套合部の内側に内接する円に外接する六辺形に対して、前記第一作用部はその辺に位置し、前記第二面及び第四面はそれぞれ相対する六辺形の辺と平行とし、第二作用部凸円弧面と六辺形の辺とは接線関係とし、該第一作用部の最も鋭角な点は六辺形の辺の中心点に位置し、該第二面及び第四面はそれらが挟む該六辺形の対角線に対して対称であって該第一収納凹部の円弧の中心は該対角線上にあり、該第一面及び該第三面それらが挟む該六辺形の対角線に対して対称であって該第二収納凹部の円弧の中心は該対角線上にあり、該六辺形の辺と該第一面との間の夾角は８〜１２度としたことを特徴とするハンドツール回転部の構造。
【請求項２】
前記本体は、リングレンチの構造とすると共に前記套合部は透過構造としたことを特徴とする請求項１記載のハンドツール回転部の構造。
【請求項３】
前記接線と前記第一面との夾角は、１１０度としたことを特徴とする請求項１記載のハンドツール回転部の構造。
【請求項４】
前記六辺形の辺と前記第一面との間の夾角は、８〜１０度としたことを特徴とする請求項１記載のハンドツール回転部の構造。
【請求項５】
前記本体は、套筒の構造、透過タイプ套筒構造、ラチェット構造、スライドバー構造、フローティングジョイント、ユニバーサルジョイント或いは開口レンチの構造としたことを特徴とする請求項１記載のハンドツール回転部の構造。
【請求項６】
前記該第一駆動部の前記第一面に複数のラチェット歯を設け、該ラチェット歯は直線の配列としたことを特徴とする請求項１記載のハンドツール回転部の構造。
【請求項７】
前記該第二駆動部の第二作用部を鋭角状を呈するものとして、前記第一作用部と同じ構成とし、該第二作用部と第一作用部とはその間を通る対角線に対して対称としたことを特徴とする請求項１記載のハンドツール回転部の構造。
【請求項８】
前記第二収納凹部は、いずれも前記第一面及び第三面と接線関係としたことを特徴とする請求項１記載のハンドツール回転部の構造。
【請求項９】
前記套合部は単一のユニットであり、互いに異なる規格サイズの二段部として構成したことを特徴とする請求項１記載のハンドツール回転部の構造。
【考案の詳細な説明】
【技術分野】
【０００１】
本考案は、ハンドツール回転部の構造に関し、特にツール或いは螺合部品の上に套設して駆動するハンドツールの技術に関する。
【背景技術】
【０００２】
従来技術のハンドツール回転部は、台湾特許出願第０８９２０６３３１号は、套筒２０を使って套設する螺合部品の六角槽は、大凸円弧面２２及び小凹円弧面２１によって構成する。大凸円弧面２２に交互に環状に配列する複数個の順斜歯２３及び逆斜歯２４を設ける。大凸円弧面２２は面取り斜面２５を形成する。しかし、その欠点は：回転時、順斜歯２３及び逆斜歯２４が螺合部品３０の六角周面３１を噛む際、順斜歯２３及び逆斜歯２４はいずれも鋭角を呈し、螺合部品３０の六角周面３１に痕が付きやすい。
【０００３】
また、台湾特許出願第１０５２０５０７０号のプログレッシブレンチの第一端角２３及び第二端角３２は鋭角を呈す。このような構造は申請案０８９２０６３３１号の順斜歯２３及び逆斜歯２４と類似しており、螺合部品３０の六角周面３１に痕が付きやすい
【０００４】
また、アメリカ特許出願２００６／０１１７９１７号のナットヘッドがダメージを受けるのを防止する套筒は、当該公報図６及び図７に示すように、套筒２０とナットヘッド４０を互いに套合する際、套合穴２２の傾斜凸２４はナットヘッド４０の各サイドの中央部分にラッチし、ナットヘッド４０を回転させる。しかし、傾斜凸２４は鋭角であるため、傾斜凸２４の回転するひねり力は比較的不足であり、また、ナットヘッド４０に噛合痕を残す。上記の従来技術を鑑みて、更なる改善が必要であった。
【先行技術文献】
【特許文献】
【０００５】
【特許文献１】特開２００５−５９２０２号公報
【考案の概要】
【考案が解決しようとする課題】
【０００６】
本考案は、従来技術の駆動時にツール或いは螺合部品の側面に噛合痕が残る状態を改善するハンドツール回転部の構造を提供することを主な課題とする。
【課題を解決するための手段】
【０００７】
前記課題を解決するために、本考案は従来技術のように、駆動時にツール或いは螺合部品の側面に噛合痕を付けないハンドツール回転部の構造を提供するものである。本体は環状の套合部を設け、套合部の内周に交互に環状に配列する三つの第一駆動部及び三つの第二駆動部、及び交互に環状に配列する三つの第一収納凹部及び三つの第二収納凹部を含む。各第一収納凹部の両サイドにそれぞれ第一駆動部及び第二駆動部があり、それが二つの第二収納凹部と互いに接続することで、該套合部はツールを套設して駆動することができる。
【０００８】
従来技術の効果と照らし合わせ：本体は時計回りに螺合部品を締めることができ、及び逆時計回りに螺合部品を緩めることができる。逆時計回りで螺合部品を緩める際は、三つの第一作用部は力点の補助をするのみであり、螺合部品の側面に噛合痕を付けない。螺合部品の角が丸く磨耗した場合、三つの第一作用部が有効的に螺合部品の三つの側面を噛合して螺合部品を回転し、一般的な回転方法及び角が丸くなった螺合部品を回転できる効果を兼ね備える。
【考案の効果】
【０００９】
本考案の構造により、本体は時計回りに螺合部品を締め、また、逆時計回りに螺合部品を緩めることができる。逆時計回りで螺合部品を緩める際は、三つの第一作用部は力点の補助をするのみであり、螺合部品の側面に噛合痕を付けない。
【図面の簡単な説明】
【００１０】
【図１】本考案のハンドツール回転部の立体図である。
【図２】本考案のハンドツール回転部の正面図である。
【図３】図２のＡ部分の拡大図である。
【図４】本考案の六辺形螺合部品を套合する第一操作状態の正面図である。
【図５】本考案の六辺形螺合部品を套合する第二操作状態の正面図である。
【図６】本考案の六辺形螺合部品を套合する第三操作状態の正面図である。
【図７】本考案の第二実施例の立体図である。
【図８】本考案の第三実施例の立体図である。
【図９】本考案の第四実施例の立体図である。
【図１０】本考案の第五実施例の正面図である。
【図１１】図１０のＡ部分の拡大図である。
【図１２】本考案の第六実施例の正面図である。
【図１３】本考案の第七実施例の立体図である。
【図１４】本考案の第八実施例の立体図である。
【図１５】本考案の第九実施例の立体図である。
【図１６】本考案の第十実施例の立体図である。
【図１７】本考案の第十実施例の上視図である。
【図１８】図１７のＡ−Ａ部分の断面図である。
【図１９】本考案の第十一実施例の立体図である。
【考案を実施するための形態】
【００１１】
以下、本考案の構造と特徴および効果を、最良実施例の図面を参照しながら詳細に説明する。
【実施例１】
【００１２】
図１から図３に示すように、本考案のハンドツールの回転部に含まれるのは本体１０である。本体１０は環状の套合部１１を設け、套合部１１の内周に交互に環状に配列すると共に突出する三つの第一駆動部１２及び三つの第二駆動部１３、及び交互に環状に配列する三つの第一収納凹部１４及び三つの第二収納凹部１５を形成する。各第一収納凹部１４の両サイドにそれぞれ第一駆動部１２及び第二駆動部１３があり、それらが二つの第二収納凹部１５とそれぞれ接続する。本体１０はリングレンチとする。
【００１３】
図３に示すように各第一駆動部１２は、第一作用部１２１、第一面１２２、第一円弧面１２３及び第二面１２４から構成する。
第一作用部１２１は鋭角状を呈し、且つ第一駆動部１２の中央に位置する。第一面１２２及び第一円弧面１２３を第一作用部１２１の両サイドに設け、第一面１２２は平面状或いは凸円弧状を呈し、第一作用部１２１と第一円弧面１２３の間に第一直線１２３１を設ける。第一直線１２３１と第一面１２２の間の夾角１２３２は１００〜１２０度(最良は１１０度である)とし、第一直線１２３１は第一円弧面１２３と第一作用部１２１で接する接線をなし、第一円弧面１２３の他端は第二面１２４とは接線関係で接続し、第二面１２４は平面状或いは凸円弧面状を呈する。
【００１４】
各第二駆動部１３は、第二作用部１３１、第三面１３２、第二円弧面１３３及び第四面１３４からなる。
第二作用部１３１は、凸円弧面状を呈し、且つ第二駆動部１３の中央に位置する。第三面１３２及び第二円弧面１３３は第二作用部１３１の両サイドに設け、第三面１３２は平面状或いは凸円弧面状を呈し、第二円弧面１３３は第二作用部１３１と接線をなして接続される。第二円弧面１３３の他端は第四面１３４と接続し、第四面１３４と第二円弧面１３３は接線状を呈し、第四面１３４は平面状或いは凸円弧面状を呈す。
【００１５】
第一収納凹部１４は、凹円弧面状を呈し、その両サイドはそれぞれ第二面１２４及び第四面１３４と互いに接する。
【００１６】
第二収納凹部１５は凹円弧面状を呈し、その両サイドはそれぞれ第一面１２２及び第三面１３２と互いに接するが、接線関係にない。
【００１７】
套合部１１の内円の中心は円１６１の円心１６であり、円１６１の外側を六辺形１６２に切る。第一作用部１２１は六辺形１６２の一辺に位置し、第二面１２４及び第四面１３４はそれぞれ六辺形１６２と相対する側面と平行する。第二作用部１３１と六辺形１６２の側面は接する。第一作用部１２１の最も鋭角な点は六辺形１６２の一辺の中心点１６３に位置し、第二面１２４及び第四面１３４は六辺形１６２の対角線１６４と相対して対称に位置する。第一面１２２及び第三面１３２は六辺形１６２の対角線１６５と相対して対称に位置する。第一収納凹部１４及び第二収納凹部１５の円心はそれぞれ対角線１６４/１６５上に位置し、六辺形１６２の側面と第一面１２２との間の夾角１６６は６〜１５度(最良は８〜１０度)とする。
【００１８】
図４に示すように、本体１０は時計回りに六辺形螺合部品２０を回転する際、套合部１１の各第一駆動部１２及び各第二駆動部１３は螺合部品２０の各一側面に抵触する。三つの第一面１２２は螺合部品２０の三つの側面に抵触し、三つの第二作用部１３１は螺合部品２０の別の三つの側面に抵触する。螺合部品２０の六つの角はそれぞれ第一収納凹部１４及び第二収納凹部１５の範囲内に位置する。第二収納凹部１５と第一面１２２は接線せず、螺合部品２０の角を摩損するのを避けることができる。本体１０を時計回りに螺合部品２０を回転する際、三つの第一面１２２は螺合部品２０の三つの側面に面接触する主な力点であり、三つの第二作用部１３１は力点を補助する部分として作用する。
【００１９】
図５に示すように、本体１０は逆時計回りに六辺形螺合部品２０を回転する際、套合部１１の各第一駆動部１２及び各第二駆動部１３は螺合部品２０の各一側面に抵触する。三つの第一作用部１２１は螺合部品２０の三つの側面に抵触し、三つの第三面１３２は螺合部品２０の他の三つの側面に抵触する。螺合部品２０の六つの角はそれぞれ第一収納凹部１４及び第二収納凹部１５の範囲内に位置する。本体１０を逆時計回りに螺合部品２０を回転する際、三つの第三面１３２は螺合部品２０の他の三つの側面に面接触する主な力点であり、三つの第一作用部１２１は力点を補助する部分として作用する。
【００２０】
図６に示すように、六辺形螺合部品２０が磨耗して角がやや丸くなった場合でも、本体１０を逆時計回りに螺合部品２０を回転する際、三つの第三面１３２と螺合部品２０の三つの側面の間の接触面が摩耗のため大変限定的であっても、各第一駆動部１２の第一作用部１２１に比較的大きな回転力がかかり、三つの第一作用部１２１は鋭角状を呈していて六辺形螺合部品２０の側面を噛合して掛止することができるため、尚も有効的に螺合部品２０を外すことができる。
【実施例２】
【００２１】
図７に示すように、本体１０は套筒である。
【実施例３】
【００２２】
図８に示すように、本体１０は透過タイプの套筒である。
【実施例４】
【００２３】
図９に示すように、本体１０はラチェットであり、ラチェットをラチェットレンチに枢設する。
【実施例５】
【００２４】
図１０及び図１１に示すように、第一面１２２に直線で配列する複数のラチェット歯１２２１を設ける。
【実施例６】
【００２５】
図１２に示すように、第二作用部１３１は鋭角状を呈し、第二作用部１３１と第一作用部１２１は同じである。第二作用部１３１と第一作用部１２１の間は対角線１６４により相対して対称状を呈す。第二収納凹部１５はいずれも第一面１２２及び第三面１３２と接線関係とする。
【実施例７】
【００２６】
図１３に示すように、本体１０はスライドバーである。
【実施例８】
【００２７】
図１４に示すように、本体１０はフローティングジョイント或いはユニバーサルジョイントである。
【実施例９】
【００２８】
図１５に示すように、本体１０は開口レンチとし、本体１０は図１の本体１０と相対して二つの側面が少ない。
【実施例１０】
【００２９】
図１６から図１８に示すように、套合部１１は単一のユニットであり、互いに異なる規格サイズの二段部を具有する。このように、この実施例の本体１０は四つの異なる規格サイズの套合部１１を具有する。
【実施例１１】
【００３０】
図１９に示すように、本体は一つの套筒である。
【００３１】
本考案のハンドツール回転部のメリットは：
【００３２】
１、図４に示すように、時計回りに螺合部品２０を回す時、三つの第一面１２２は面接触により主に回転時の力点になり、三つの第二作用部１３１は力点を補助する部分であり、第二作用部１３１は凸円弧面状を呈し、螺合部品２０を摩損しにくい。
【００３３】
図５に示すように、本体１０を逆時計回りに螺合部品２０を回す時、三つの第三面１３２は面接触により主に回転時の力点になり、三つの第一作用部１２１は力点を補助する部分であり、三つの第一作用部１２１は鋭角状を呈すが、かかる回転力は大変小さいもので、螺合部品２０の側面を摩損しにくい。
【００３４】
３、図６に示すように、第二駆動部１３の三つの第三面１３２と螺合部品２０の三つの側面の間で接触面が大変限りがある場合、第一駆動部１２の鋭角状の第一作用部１２１に比較的大きな回転力がかかり、且つ六辺形螺合部品２０の三つの側面を噛合して掛止することができるため、有効的に螺合部品２０を外すことができる。
【００３５】
４、上記３点の記述により、本体１０は時計回りに螺合部品２０を締めることができ、及び逆時計回りに螺合部品２０を緩めることができる。逆時計回りで螺合部品２０を緩める際は、螺合部品２０の側面に噛合痕を付ける可能性が低い。螺合部品２０の角が丸く磨耗した場合、三つの第一作用部１２１が螺合部品２０の三つの側面を噛合し、三つの側面を噛んで回転することにより、螺合部品２０を回転することができる。このようにすれば、一般的な回転方法及び角が丸くなった螺合部品２０を回転できる効果を兼ね備える。
【符号の説明】
【００３６】
１０  本体             
１１  套合部
１２  第一駆動部       
１２１  第一作用部
１２２  第一面          
１２２１  ラチェット歯
１２３  第一円弧面        
１２３１  第一直線
１２３２  夾角       
１２４  第二面
１３  第二駆動部       
１３１  第二作用部
１３２  第三面         
１３３  第二弧面
１３４  第四面          
１４  第一収納凹部       
１５  第二収納凹部
１６  円心         
１６１  円
１６２  六辺形      
１６３  中央縦線
１６４  対角線      
１６５  対角線
１６６  夾角        
２０  螺合部品
【図１】
0003210799.tif 000003
【図２】
0003210799.tif 000004
【図３】
0003210799.tif 000005
【図４】
0003210799.tif 000006
【図５】
0003210799.tif 000007
【図６】
0003210799.tif 000008
【図７】
0003210799.tif 000009
【図８】
0003210799.tif 000010
【図９】
0003210799.tif 000011
【図１０】
0003210799.tif 000012
【図１１】
0003210799.tif 000013
【図１２】
0003210799.tif 000014
【図１３】
0003210799.tif 000015
【図１４】
0003210799.tif 000016
【図１５】
0003210799.tif 000017
【図１６】
0003210799.tif 000018
【図１７】
0003210799.tif 000019
【図１８】
0003210799.tif 000020
【図１９】
0003210799.tif 000021